(57)【要約】  本開示の一態様によれば、特定のフォーマットを有する下り制御情報のモニタリングを適切に行うことができる。ユーザ端末は、第１セルにおいて、第２セルの共有チャネルのスケジューリングのための第１下り制御情報をモニタし、スロットフォーマットとプリエンプションと送信電力との少なくとも１つの制御を示す第２下り制御情報を、前記第１セル及び前記第２セルの少なくとも１つにおいてモニタする受信部と、前記第２下り制御情報に基づいて、前記第２セルに対して前記制御を行う制御部と、有する。
2020053943.tif 000002
【特許請求の範囲】
【請求項１】
第１セルにおいて、第２セルの共有チャネルのスケジューリングのための第１下り制御情報をモニタし、スロットフォーマットとプリエンプションと送信電力との少なくとも１つの制御を示す第２下り制御情報を、前記第１セル及び前記第２セルの少なくとも１つにおいてモニタする受信部と、
前記第２下り制御情報に基づいて、前記第２セルに対して前記制御を行う制御部と、有することを特徴とするユーザ端末。
【請求項２】
前記受信部は、前記第１セルにおいて前記第２下り制御情報をモニタすることを特徴とする請求項１に記載のユーザ端末。
【請求項３】
前記制御部が、前記第２セルの前記共有チャネルが前記第２セル以外のセルを用いてスケジュールされることを設定された場合、前記制御部は、前記第２セルにおいて前記第２下り制御情報をモニタすることを設定されないことを特徴とする請求項２に記載のユーザ端末。
【請求項４】
前記制御部が、クロスキャリアスケジューリングと、前記制御のための下り制御情報フォーマットと、をサポートする場合、前記制御部は、前記第２セルのための前記制御を示す前記第２下り制御情報を、前記第１セルにおいてモニタすることをサポートすることを特徴とする請求項２又は請求項３に記載のユーザ端末。
【請求項５】
前記受信部は、前記第２セルにおいて前記第２下り制御情報をモニタすることを特徴とする請求項１に記載のユーザ端末。
【請求項６】
第１セルにおいて、第２セルの共有チャネルのスケジューリングのための第１下り制御情報をモニタし、スロットフォーマットとプリエンプションと送信電力との少なくとも１つの制御を示す第２下り制御情報を、前記第１セル及び前記第２セルの少なくとも１つにおいてモニタする工程と、
前記第２下り制御情報に基づいて、前記第２セルに対して前記制御を行う工程と、有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）においては、無線基地局（例えば、ｅＮＢ（eNode  B））は、物理レイヤの制御信号（例えば、下り制御情報（ＤＣＩ：Downlink  Control  Information））を、下り制御チャネル（例えば、ＰＤＣＣＨ（Physical  Downlink  Control  Channel））を用いてユーザ端末（ＵＥ：User  Equipment）に送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、ＮＲという）では、下り共有チャネル（例えば、ＰＤＳＣＨ）のスケジューリングのためのＤＣＩフォーマット、及び上り共有チャネル（例えば、ＰＵＳＣＨ）のスケジューリングのためのＤＣＩフォーマット、と異なる特定ＤＣＩフォーマットを用いて、少なくとも１つのキャリア（セル、コンポーネントキャリア（ＣＣ））の制御（スロットフォーマット、プリエンプション、送信電力制御など）を行うことが検討されている。【０００７】
しかしながら、異なるキャリア間でのスケジューリング（クロスキャリアスケジューリング）と、特定ＤＣＩフォーマットのモニタリングとの関係が検討されていない。この関係が明確でなければ、ＵＥが特定ＤＣＩフォーマットを適切に検出できないおそれがある。【０００８】
本発明はかかる点に鑑みてなされたものであり、特定のフォーマットを有する下り制御情報のモニタリングを適切に行うユーザ端末及び無線通信方法を提供することを目的の一つとする。
【課題を解決するための手段】
【０００９】
本開示の一態様に係るユーザ端末は、第１セルにおいて、第２セルの共有チャネルのスケジューリングのための第１下り制御情報をモニタし、スロットフォーマットとプリエンプションと送信電力との少なくとも１つの制御を示す第２下り制御情報を、前記第１セル及び前記第２セルの少なくとも１つにおいてモニタする受信部と、前記第２下り制御情報に基づいて、前記第２セルに対して前記制御を行う制御部と、有する。
【発明の効果】
【００１０】
本開示の一態様によれば、特定のフォーマットを有する下り制御情報のモニタリングを適切に行うことができる。
【図面の簡単な説明】
【００１１】
【図１】図１は、ＤＣＩのモニタリングの一例を示す図である。
【図２】図２は、態様１−１に係るＤＣＩのモニタリングの一例を示す図である。
【図３】図３は、態様１−２に係るＤＣＩのモニタリングの一例を示す図である。
【図４】図４は、本実施の形態に係る無線通信システムの概略構成の一例を示す図である。
【図５】図５は、本実施の形態に係る無線基地局の全体構成の一例を示す図である。
【図６】図６は、本実施の形態に係る無線基地局の機能構成の一例を示す図である。
【図７】図７は、本実施の形態に係るユーザ端末の全体構成の一例を示す図である。
【図８】図８は、本実施の形態に係るユーザ端末の機能構成の一例を示す図である。
【図９】図９は、本実施の形態に係る無線基地局及びユーザ端末のハードウェア構成の一例を示す図である。
【発明を実施するための形態】
【００１２】
将来の無線通信システム（例えば、ＮＲ、５Ｇ、５Ｇ＋、Ｒｅｌ．１５以降）においては、物理レイヤの制御信号（例えば、下り制御情報（ＤＣＩ：Downlink  Control  Information））を、基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）からユーザ端末に対して送信するために、制御リソースセット（ＣＯＲＥＳＥＴ：COntrol  REsource  SET）が利用されることが検討されている。
【００１３】
ＣＯＲＥＳＥＴは、下り制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の所定のリソース単位にマッピングされる。
【００１４】
当該所定のリソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）、一以上のＲＥＧバンドル（ＲＥＧグループ）、物理リソースブロック（ＰＲＢ：Physical  Resource  Block）の少なくとも一つであればよい。
【００１５】
ユーザ端末は、ＣＯＲＥＳＥＴ内のサーチスペース（ＳＳ）を監視（monitor）（ブラインド復号）して当該ユーザ端末に対するＤＣＩを検出する。当該サーチスペースには、一以上のユーザ端末に共通の（セル固有の）ＤＣＩの監視に用いられるサーチスペース（共通サーチスペース（ＣＳＳ：Common  Search  Space））と、ユーザ端末固有のＤＣＩの監視に用いられるサーチスペース（ユーザ固有サーチスペース（ＵＳＳ：User-specific  Search  Space））とが含まれてもよい。
【００１６】
ＣＳＳには、以下の少なくとも一つが含まれてもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
【００１７】
タイプ０−ＰＤＣＣＨ  ＣＳＳは、ＳＩＢ１用のＳＳ、ＲＭＳＩ（Remaining  Minimum  System  Information）用のＳＳ等とも呼ばれる。タイプ０−ＰＤＣＣＨ  ＣＳＳは、所定の識別子（例えば、ＳＩ−ＲＮＴＩ：System  Information−Radio  Network  Temporary  Identifier）で巡回冗長検査（ＣＲＣ：Cyclic  Redundancy  Check）スクランブルされるＤＣＩ用のサーチスペース（ＳＩＢ１を伝送する下り共有チャネル（ＰＤＳＣＨ：Physical  Downlink  Shared  Channel）をスケジューリングするＤＣＩのモニタリング用のサーチスペース）であってもよい。
【００１８】
ここで、ＣＲＣスクランブルとは、ＤＣＩに対して、所定の識別子でスクランブル（マスク）されるＣＲＣビットを付加する（含める）ことである。
【００１９】
タイプ０Ａ−ＰＤＣＣＨ  ＣＳＳは、ＯＳＩ（Other  System  Information）用のＳＳ等とも呼ばれる。タイプ０Ａ−ＰＤＣＣＨ  ＣＳＳは、所定の識別子（例えば、ＳＩ−ＲＮＴＩ）でＣＲＣスクランブルされるＤＣＩ用のサーチスペース（ＯＳＩを伝送するＰＤＳＣＨをスケジューリングするＤＣＩのモニタリング用のサーチスペース）であってもよい。
【００２０】
タイプ１−ＰＤＣＣＨ  ＣＳＳは、ランダムアクセス（ＲＡ）用のＳＳ等とも呼ばれる。タイプ１−ＰＤＣＣＨ  ＣＳＳは、所定の識別子（例えば、ＲＡ−ＲＮＴＩ（Random  Access−RNTI）、ＴＣ−ＲＮＴＩ（Temporary  Cell−RNTI）又はＣ−ＲＮＴＩ（Cell―RNTI））でＣＲＣスクランブルされるＤＣＩ用のサーチスペース（ＲＡ手順用のメッセージ（例えば、ランダムアクセス応答（Random  Access  Response：ＲＡＲ、メッセージ２）、衝突解決用メッセージ（メッセージ４））を伝送するＰＤＳＣＨをスケジューリングするＤＣＩのモニタリング用のサーチスペース）であってもよい。
【００２１】
タイプ２−ＰＤＣＣＨ  ＣＳＳは、ページング用のＳＳ等とも呼ばれる。タイプ２−ＰＤＣＣＨ  ＣＳＳは、所定の識別子（例えば、Ｐ−ＲＮＴＩ：Paging−RNTI）でＣＲＣスクランブルＤＣＩ用のサーチスペース（ページングを伝送するＰＤＳＣＨをスケジューリングするＤＣＩのモニタリング用のサーチスペース）であってもよい。
【００２２】
タイプ３−ＰＤＣＣＨ  ＣＳＳは、所定の識別子（例えば、ＤＬプリエンプション指示用のＩＮＴ−ＲＮＴＩ（Interruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ、ＣＳ−ＲＮＴＩ（Configured  Scheduling  RNTI）、ＳＰ−ＣＳＩ−ＲＮＴＩ（Semi-Persistent-CSI-RNTI）、又はＭＣＳ（Modulation  and  Coding  Scheme）−Ｃ（Cell）−ＲＮＴＩ）でＣＲＣスクランブルされるＤＣＩ用のサーチスペースであってもよい。
【００２３】
また、ＵＳＳは、所定の識別子（例えば、Ｃ−ＲＮＴＩ、ＣＳ−ＲＮＴＩ、ＳＰ−ＣＳＩ−ＲＮＴＩ、又はＭＣＳ−Ｃ−ＲＮＴＩ）でＣＲＣスクランブルされるＣＲＣビットが付加される（含まれる）ＤＣＩ用のサーチスペースであってもよい。
【００２４】
また、ＵＥは、特定のキャリアの制御のための特定ＤＣＩフォーマットを有するＤＣＩをモニタすることを設定されてもよい。特定ＤＣＩフォーマットは、スロットフォーマット（ＴＤＤ−ＵＬ−ＤＬ設定）の通知に用いられるＤＣＩフォーマット（例えば、ＤＣＩフォーマット２＿０）、ＵＥが当該ＵＥ宛の送信がないと想定するリソース（ＰＲＢ及びＯＦＤＭ）を通知するために用いられるＤＣＩフォーマット（例えば、ＤＣＩフォーマット２＿１）、ＰＵＣＣＨ及びＰＵＳＣＨ用のＴＰＣコマンドの送信に用いられるＤＣＩフォーマット（例えば、ＤＣＩフォーマット２＿２）、１以上のＵＥによるＳＲＳ送信用のＴＰＣコマンドのグループの送信に用いられるＤＣＩフォーマット（例えば、ＤＣＩフォーマット２＿３）、の少なくとも１つであってもよい。
【００２５】
ＤＣＩフォーマット２＿０は、ＳＦＩ−ＲＮＴＩによってスクランブルされたＣＲＣを用いてもよい。ＤＣＩフォーマット２＿１は、ＩＮＴ−ＲＮＴＩによってスクランブルされたＣＲＣを用いてもよい。ＤＣＩフォーマット２＿２は、ＴＰＣ−ＰＵＳＣＨ−ＲＮＴＩ又はＴＰＣ−ＰＵＣＣＨ−ＲＮＴＩによってスクランブルされたＣＲＣを用いてもよい。ＤＣＩフォーマット２＿３は、ＴＰＣ−ＳＲＳ−ＲＮＴＩによってスクランブルされたＣＲＣを用いてもよい。
【００２６】
ＵＥは、所定のサービングセルにおいて、上位レイヤシグナリングにより、ＳＦＩ−ＲＮＴＩでＣＲＣがスクランブリングされたＤＣＩフォーマット２＿０をモニタリングするために必要なパラメータ（例えば、ＳＦＩ−ＲＮＴＩの値、ＤＣＩフォーマット２＿０のペイロードサイズ、ＤＣＩフォーマット２＿０をモニタリングするサーチスペースの周期やモニタリングオケージョン、そしてＰＤＣＣＨ候補の数やそのアグリゲーションレベル）が設定されてもよい。そしてＵＥはさらに、当該ＤＣＩフォーマット２＿０によって指示されるスロットフォーマットに関するパラメータ（例えば、セル用スロットフォーマットコンビネーション設定情報、SlotFormatCombinationsPerCell）が設定されてもよい。SlotFormatCombinationsPerCellは、ＤＣＩフォーマット２＿０内の各スロットフォーマット指示（Slot  Format  Indication：ＳＦＩ）フィールドが、それぞれどのセルに適用されるかを示すサービングセルＩＤ（インデックス、servCellIndex）を含んでもよい。
【００２７】
ＵＥは、所定のサービングセルの所定のＢＷＰにおいて、上位レイヤシグナリングにより、ＩＮＴ−ＲＮＴＩでＣＲＣがスクランブリングされたＤＣＩフォーマット２＿１をモニタリングするために必要なパラメータ（例えば、ＩＮＴ−ＲＮＴＩの値、ＤＣＩフォーマット２＿１のペイロードサイズ、ＤＣＩフォーマット２＿１をモニタリングするサーチスペースの周期やモニタリングオケージョン、そしてＰＤＣＣＨ候補の数やそのアグリゲーションレベル）が設定されてもよい。そしてＵＥはさらに、当該ＤＣＩフォーマット２＿１によって指示される、プリエンプテッドリソースに関するパラメータ（例えば、当該ＤＣＩフォーマット２＿１の特定のフィールド（例えば、プリエンプション指示（Pre-emption  indication：ＰＩ）フィールド）の値と、プリエンプションされたと想定すべき時間・周波数リソースとの対応付け）を設定されてもよい。ＵＥはさらに、ＤＣＩフォーマット２＿１内の特定のフィールドがどのセルに適用されるかを示すサービングセルＩＤ（インデックス、servCellIndex）を設定されてもよい。
【００２８】
ＵＥは、所定のサービングセルの所定のＢＷＰにおいて、上位レイヤシグナリングにより、ＴＰＣ−ＰＵＳＣＨ−ＲＮＴＩ及びＴＰＣ−ＰＵＣＣＨ−ＲＮＴＩの少なくとも１つでＣＲＣがスクランブリングされたＤＣＩフォーマット２＿２をモニタリングするために必要なパラメータ（例えば、ＴＰＣ−ＰＵＳＣＨ−ＲＮＴＩ及びＴＰＣ−ＰＵＣＣＨ−ＲＮＴＩの少なくとも１つの値、ＤＣＩフォーマット２＿２をモニタリングするサーチスペースの周期やモニタリングオケージョン、そしてＰＤＣＣＨ候補の数やそのアグリゲーションレベル）が設定されてもよい。そしてＵＥはさらに、当該ＤＣＩフォーマット２＿２においてＴＰＣコマンドと解釈するフィールド（つまりビット列内においてＴＰＣコマンドと解釈する複数ビットの場所）、そのＴＰＣコマンドを適用するＰＵＳＣＨまたはＰＵＣＣＨが送信されるサービングセルのインデックスを設定されてもよい。
【００２９】
特定ＤＣＩフォーマットは、スロットフォーマット指示（例えば、ＳＦＩフィールド）、プリエンプション指示（例えば、ＰＩフィールド）、ＴＰＣコマンド、ＴＰＣコマンドのグループ、の少なくとも１つを含むＤＣＩフォーマットであってもよい。
【００３０】
特定ＤＣＩフォーマットは、タイプ３−ＰＤＣＣＨ  ＣＳＳのモニタリングによって検出されるＤＣＩフォーマットであってもよい。
【００３１】
特定ＤＣＩフォーマットは、Ｃ−ＲＮＴＩ、ＣＳ−ＲＮＴＩ、ＳＰ−ＣＳＩ−ＲＮＴＩ、ＭＣＳ−Ｃ−ＲＮＴＩ、ＲＡ−ＲＮＴＩ、ＴＣ−ＲＮＴＩ、Ｐ−ＲＮＴＩ、ＳＩ−ＲＮＴＩ以外のＲＮＴＩによってスクランブルされたＣＲＣを用いるＤＣＩフォーマットであってもよい。
【００３２】
このように、ＵＥは、上位レイヤパラメータによって指示されたセルに特定ＤＣＩフォーマットを適用することができる。
【００３３】
なお、上位レイヤパラメータは、例えば、上位レイヤシグナリングにより基地局からＵＥに通知されてもよい。ここで、上位レイヤシグナリングは、例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング（例えば、ＭＡＣ制御要素（ＭＡＣ  ＣＥ：MAC  Control  Element））、その他の信号又はこれらの組み合わせによって実施されてもよい。
【００３４】
また、１つのセルにおいてクロスキャリアスケジューリングが用いられる場合、ＵＥは、上位レイヤパラメータ（例えば、クロスキャリアスケジューリング設定情報、CrossCarrierSchedulingConfig）によって、当該セルに対するクロスキャリアスケジューリングの設定を特定してもよい。
【００３５】
図１に示すように、ＵＥが、セルＡからセルＢへの、共有チャネル（データ、ＰＤＳＣＨ又はＰＵＳＣＨ）のクロスキャリアスケジューリングを設定されてもよい。この場合、ＵＥは、セルＢに対してCrossCarrierSchedulingConfigを設定され、CrossCarrierSchedulingConfigがセルＡを示すスケジューリングセルインデックス（cif-InSchedulingCell）を含んでもよい。共有チャネルのスケジューリングのためのＤＣＩの送信に用いられるセル（セルＡ）は、スケジューリングセル（scheduling  cell）と呼ばれてもよい。当該共有チャネルの送信に用いられるセル（当該ＤＣＩによってスケジュールされるセル、セルＢ）は、スケジュールドセル（scheduled  cell）と呼ばれてもよい。
【００３６】
セルＡからセルＢへのクロスキャリアスケジューリングを設定されたＵＥは、セルＢの共有チャネルのスケジューリングのためのＤＣＩ（例えば、ＤＣＩフォーマット０＿１（ＵＬグラント）、ＤＣＩフォーマット１＿１（ＤＬアサインメント））を、セルＡにおいてモニタする。ＤＣＩフォーマット０＿１（ＵＬグラント）、ＤＣＩフォーマット１＿１（ＤＬアサインメント）には、３ビットのＣＩＦ（Ｃａｒｒｉｅｒ  Ｉｎｄｉｃａｔｉｏｎ  Ｆｉｅｌｄ）が含まれる。ＣＩＦの各値がどのスケジュールドセルに対応するかは、上位レイヤシグナリングによって設定されてもよいし、設定されない場合にはＣＩＦの値がＳｅｒｖｉｎｇ  ｃｅｌｌ  Ｉｎｄｅｘを示すものとしてもよい（例えばＣＩＦの値が２であれば、スケジュールドセルのＳｅｒｖｉｎｇ  ｃｅｌｌ  ｉｎｄｅｘが２であると判断する）。
【００３７】
当該ＵＥは、セルＡの共有チャネル（ＰＤＳＣＨまたはＰＵＳＣＨ）のスケジューリングのためのＤＣＩを、セルＡにおいてモニタしてもよい。当該ＵＥは、セルＢの共有チャネル（ＰＤＳＣＨまたはＰＵＳＣＨ）のスケジューリングのためのＤＣＩを、セルＡにおいてモニタするため、セルＢの共有チャネル（ＰＤＳＣＨまたはＰＵＳＣＨ）のスケジューリングのためのＤＣＩを、セルＢにおいてはモニタしない。
【００３８】
しかしながら、異なるキャリア間でのスケジューリング（クロスキャリアスケジューリング）が設定された場合に、ＵＥがどのように特定ＤＣＩフォーマットのモニタリングを行うべきか、ということが明らかでない。この関係が決められなければ、ＵＥが特定ＤＣＩフォーマットを適切にモニタリングまたは検出できないおそれがある。
【００３９】
そこで、本発明者らは、ＵＥがクロスキャリアスケジューリングを設定される場合の、特定ＤＣＩフォーマットのモニタリング方法を着想した。
【００４０】
以下、本実施の形態について、図面を参照して詳細に説明する。
【００４１】
（態様１）
態様１では、ＵＥがクロスキャリアスケジューリングを設定された場合の、特定ＤＣＩフォーマットのモニタリング方法について説明する。
【００４２】
ここでは、ＵＥが、セルＡからセルＢへ、共有チャネル（ＰＤＳＣＨ又はＰＵＳＣＨ）のクロスキャリアスケジューリングを設定された場合（ＵＥは、セルＢに対してCrossCarrierSchedulingConfigを設定され、且つCrossCarrierSchedulingConfigが、セルＡを示すスケジューリングセルインデックス（cif-InSchedulingCell）を含む場合）について説明する。
【００４３】
この場合、ＵＥは、次の態様１−１、１−２、１−３のいずれかに従って、セルＢ用の特定ＤＣＩフォーマットをモニタしてもよい。
【００４４】
（態様１−１）
ＵＥは、或るセル用の特定ＤＣＩフォーマットを別のセル上でモニタすることを設定されてもよい。
【００４５】
ＵＥは、特定条件を満たす場合、或るセル用の特定ＤＣＩフォーマットを当該セル上でモニタするよう設定されることを期待しなくてもよい。特定条件は、ＵＥが、別のセルから当該セルの共有チャネルをスケジュールされることを設定されたことであってもよい。
【００４６】
言い換えれば、スケジュールドセルがスケジューリングセルと同じでない場合、ＵＥは、スケジュールドセル上の特定ＤＣＩフォーマットのモニタリングを設定されることを期待しなくてもよい。スケジュールドセルがスケジューリングセルと同じでない場合とは、ＵＥがスケジュールドセルに対してCrossCarrierSchedulingConfigを設定され、CrossCarrierSchedulingConfig内のスケジューリングセル（例えば、schedulingCellInfo）が他セル（例えば、'other'（スケジュールドセルが他セルからスケジュールされることを示す））にセットされる場合であってもよい。
【００４７】
図２に示すように、ＵＥは、セルＢの共有チャネルのスケジューリングのためのＤＣＩフォーマット（例えば、ＤＣＩフォーマット０＿１、１＿１）と同様にして、セルＢ用の特定ＤＣＩフォーマットをセルＡ上でモニタしてもよい。
【００４８】
これにより、クロスキャリアスケジューリングが設定されたときに、スケジューリングセルと異なるスケジュールドセルにおいてＤＣＩフォーマットをモニタするケースを排除できるため、ＵＥのＰＤＣＣＨモニタリング動作を簡易化したり、ＰＤＣＣＨモニタリングに伴う消費電力を低減することができる。
【００４９】
（態様１−２）
ＵＥは、或るセル用の特定ＤＣＩフォーマットを同じセル上でモニタすることを設定されてもよい。
【００５０】
例えば、ＵＥが、セルＢの共有チャネルのスケジューリングのためのＤＣＩフォーマットをセルＡ上でモニタするようクロスキャリアスケジューリングが設定された場合を考える。このとき、当該ＵＥは、別途特定ＤＣＩフォーマットのモニタリングに関する上位レイヤパラメータが設定されるが、前記特定ＤＣＩフォーマットのモニタリングを行うセルは、セルＢ上に設定される。図３に示すように、ＵＥは、セルＢの共有チャネルのスケジューリングのためのＤＣＩフォーマットをセルＡ上でモニタし、セルＢ用の特定ＤＣＩフォーマットをセルＢ上でモニタする。
【００５１】
これにより、セルＡに複数のＤＣＩが多重され、セルＡのＰＤＣＣＨが混雑してＰＤＣＣＨのブロッキング確率が増大する問題を回避することができる。
【００５２】
（態様１−３）
ＵＥは、セルＢ用の特定ＤＣＩフォーマットを、セルＡ及びＢの少なくとも１つにおいてモニタすることを設定される。
【００５３】
セルＢ用の特定ＤＣＩフォーマットをどのセルでモニタするかは、ネットワーク（ＮＷ、基地局）の実装に依存してもよい。
【００５４】
例えば、ＵＥが、セルＢの共有チャネルのスケジューリングのためのＤＣＩフォーマットをセルＡ上でモニタするようクロスキャリアスケジューリングが設定された場合を考える。このとき、当該ＵＥは、別途特定ＤＣＩフォーマットのモニタリングに関する上位レイヤパラメータが設定されるが、前記特定ＤＣＩフォーマットのモニタリングを行うセルは、セルＡ上、セルＢ上いずれにも設定することができる。セルＡ上に設定された場合、図２に示すように、ＵＥは、セルＢの共有チャネルのスケジューリングのためのＤＣＩフォーマットをセルＡ上でモニタし、セルＢ用の特定ＤＣＩフォーマットもセルＡ上でモニタする。セルＢ上に設定された場合、図３に示すように、ＵＥは、セルＢの共有チャネルのスケジューリングのためのＤＣＩフォーマットをセルＡ上でモニタし、セルＢ用の特定ＤＣＩフォーマットをセルＢ上でモニタする。ＵＥは、セルＢ用の特定ＤＣＩフォーマットをどのセルでモニタするかを、上位レイヤパラメータによって設定されてもよい。この上位レイヤパラメータは、CrossCarrierSchedulingConfigに含まれてもよい。
【００５５】
セルＢ用の特定ＤＣＩフォーマットをセルＡにおいてモニタすることを設定されたＵＥは、前述の図２と同様に、セルＡ又はセルＢの共有チャネルのスケジューリング用のＤＣＩフォーマットと、セルＢ用の特定ＤＣＩフォーマットと、をセルＡ上でモニタする。
【００５６】
セルＢ用の特定ＤＣＩフォーマットをセルＢにおいてモニタすることを設定されたＵＥは、前述の図３と同様に、セルＡ又はセルＢの共有チャネルのスケジューリング用のＤＣＩフォーマットをセルＡにおいてモニタリングし、セルＢ用の特定ＤＣＩフォーマットをセルＡ上でモニタする。
【００５７】
態様１−３では、基地局が柔軟にＤＣＩフォーマットを送信するセルを設定することができる。
【００５８】
この態様１によれば、ＵＥが、クロスキャリアスケジューリングを設定されたセルのための特定ＤＣＩフォーマットをどのセルでモニタするかが明確になり、ＵＥは、特定ＤＣＩフォーマットを適切にモニタすることができる。
【００５９】
（態様２）
態様２では、クロスキャリアスケジューリング及び特定ＤＣＩフォーマットに関するＵＥ能力について説明する。
【００６０】
ＵＥは、クロスキャリアスケジューリングをサポートし、且つ特定ＤＣＩフォーマットをサポートする場合、或るセルに対する特定ＤＣＩフォーマットを別のセルにおいてモニタすることをサポートするものとしてもよい。ＵＥは、クロスキャリアスケジューリング及び特定ＤＣＩフォーマットの少なくとも１つをサポートしない場合、或るセルに対する特定ＤＣＩフォーマットを別のセルにおいてモニタすることを設定されないと期待してもよい。
【００６１】
或るセルに対する特定ＤＣＩフォーマットを別のセルにおいてモニタすることをサポートすることは、クロスキャリアスケジューリングに関するＵＥ能力として規定されてもよいし、特定ＤＣＩフォーマットに関するＵＥ能力として規定されてもよい。
【００６２】
ＵＥは、或るセルに対する特定ＤＣＩフォーマットを別のセルにおいてモニタすることをサポートすることを示すＵＥ能力情報を報告してもよい。
【００６３】
この態様２によれば、ＵＥが、或るセルに対する特定ＤＣＩフォーマットを別のセルにおいてモニタすることをサポートするか否かが明確になり、ＵＥは、特定ＤＣＩフォーマットを適切にモニタできる。
【００６４】
なお、クロスキャリアスケジューリングや特定ＤＣＩフォーマットのモニタリングに関する当該ＵＥ能力情報は、特定のサブキャリア間隔の場合についてサポート有無を報告する情報であってもよいし、特定の周波数バンドや周波数バンドコンビネーションについてサポート有無を報告する情報であってもよいし、すべてのサブキャリア間隔、周波数バンドや周波数バンドコンビネーションについてサポート有無を報告する情報であってもよい。
【００６５】
（無線通信システム）
以下、本実施の形態に係る無線通信システムの構成について説明する。この無線通信システムでは、本開示の上記各実施の形態（態様）に係る無線通信方法のいずれか又はこれらの組み合わせを用いて通信が行われる。
【００６６】
図４は、本実施の形態に係る無線通信システムの概略構成の一例を示す図である。無線通信システム１では、複数のコンポーネントキャリア（キャリア又はセル）を一体としたキャリアアグリゲーション（ＣＡ）及び／又はデュアルコネクティビティ（ＤＣ）を適用することができる。
【００６７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００６８】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００６９】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００７０】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。また、無線通信システム１は、同一のＲＡＴ内の複数の基地局間のデュアルコネクティビティ（例えば、ＭＮ及びＳＮの双方がＮＲの基地局（ｇＮＢ）となるデュアルコネクティビティ（ＮＮ−ＤＣ：NR-NR  Dual  Connectivity））をサポートしてもよい。
【００７１】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【００７２】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００７３】
ニューメロロジーとは、ある信号及びチャネルの少なくとも１つの送信及び受信の少なくとも１つに適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合、及びＯＦＤＭシンボル数が異なる場合の少なくとも１つには、ニューメロロジーが異なると称されてもよい。
【００７４】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【００７５】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【００７６】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【００７７】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００７８】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００７９】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００８０】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００８１】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００８２】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００８３】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００８４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００８５】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００８６】
＜基地局＞
図５は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００８７】
下りリンクによって基地局１０からユーザ端末２０に送信されるユーザデータは、上位局装置３０から伝送路インターフェース１０６を介してベースバンド信号処理部１０４に入力される。
【００８８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００８９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９０】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【００９２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【００９３】
図６は、本実施の形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【００９４】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【００９５】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【００９６】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【００９７】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【００９８】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【００９９】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１００】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１０１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１０２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１０３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１０４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１０５】
測定部３０５は、受信した信号に関する測定を実施する。測定部３０５は、本開示に係る技術分野での共通認識に基づいて説明される測定器、測定回路又は測定装置から構成することができる。
【０１０６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１０７】
また、送受信部１０３は、セルグループ、セル、ＢＷＰ、ＣＯＲＥＳＥＴ、サーチスペース、クロスキャリアスケジューリングの少なくとも一つに関する設定情報を送信してもよい。また、送受信部１０３は、ＤＣＩを送信してもよい。
【０１０８】
また、制御部３０１は、セルグループ、セル、ＢＷＰ、ＣＯＲＥＳＥＴ、サーチスペース、クロスキャリアスケジューリングの少なくとも一つの設定を制御し、これらの少なくとも一つの設定情報の送信を制御してもよい。
【０１０９】
＜ユーザ端末＞
図７は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１１０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１１】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１２】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１１３】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１１４】
図８は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１１５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１１６】
制御部４０１は、ユーザ端末２０全体の制御を実施する。制御部４０１は、本開示に係る技術分野での共通認識に基づいて説明されるコントローラ、制御回路又は制御装置から構成することができる。
【０１１７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１１８】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１１９】
制御部４０１は、所定の識別子（例えば、Ｃ−ＲＮＴＩ、ＣＳ−ＲＮＴＩ、ＭＣＳ−Ｃ−ＲＮＴＩ、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、ＳＰ−ＣＳＩ−ＲＮＴＩの少なくとも一つ）でＣＲＣスクランブルされるＤＣＩの監視を制御してもよい。
【０１２０】
また、制御部４０１は、基地局１０から通知された各種情報を受信信号処理部４０４から取得した場合、当該情報に基づいて制御に用いるパラメータを更新してもよい。
【０１２１】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１２２】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１２３】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１２４】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１２５】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１２６】
測定部４０５は、受信した信号に関する測定を実施する。測定部４０５は、本開示に係る技術分野での共通認識に基づいて説明される測定器、測定回路又は測定装置から構成することができる。
【０１２７】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１２８】
なお、送受信部２０３は、セルグループ、セル、ＢＷＰ、ＣＯＲＥＳＥＴ、サーチスペース、クロスキャリアスケジューリングの少なくとも一つに関する設定情報を受信してもよい。また、送受信部２０３は、ＤＣＩを受信してもよい。
【０１２９】
制御部４０１は、セルグループ、セル、ＢＷＰ、ＣＯＲＥＳＥＴ、サーチスペース、クロスキャリアスケジューリングの少なくとも一つの設定情報の受信を制御してもよい。
【０１３０】
また、送受信部２０３は、第１セル（セルＡ、スケジューリングセル）において、第２セル（セルＢ、スケジュールドセル）の共有チャネルのスケジューリング（クロスキャリアスケジューリング）のための第１下り制御情報をモニタし、スロットフォーマットとプリエンプションと送信電力との少なくとも１つの制御（スロットフォーマット指示、プリエンプション指示、ＴＰＣコマンド、ＴＰＣコマンドのグループ、の少なくとも１つ）を示す第２下り制御情報（特定ＤＣＩフォーマット）を、前記第１セル及び前記第２セルの少なくとも１つにおいてモニタしてもよい。また、制御部４０１は、前記第２下り制御情報に基づいて、前記第２セルに対して前記制御を行ってもよい。
【０１３１】
また、送受信部２０３は、前記第１セルにおいて前記第２下り制御情報をモニタしてもよい。
【０１３２】
また、制御部４０１は、前記第２セルの前記共有チャネルが前記第２セル以外のセルを用いてスケジュールされること（クロスキャリアスケジューリング、スケジュールドセルが他セルからスケジュールされること）を設定された場合、前記制御部は、前記第２セルにおいて前記第２下り制御情報をモニタすることを設定されなくてもよい。
【０１３３】
制御部４０１が、クロスキャリアスケジューリングと、前記制御のための下り制御情報フォーマット（特定ＤＣＩフォーマット）と、をサポートする場合、制御部４０１は、前記第２セルのための前記制御を示す前記第２下り制御情報を、前記第１セルにおいてモニタすることをサポートしてもよい。
【０１３４】
また、送受信部２０３は、前記第２セルにおいて前記第２下り制御情報をモニタしてもよい。
【０１３５】
また、送受信部２０３は、クロスキャリアスケジューリングと、前記制御のための下り制御情報フォーマットと、の少なくとも１つをサポートすることを示すＵＥ能力情報を送信してもよい。
【０１３６】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１３７】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１３８】
例えば、本開示の一実施形態における基地局、ユーザ端末などは、本開示の無線通信方法の処理を行うコンピュータとして機能してもよい。図９は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３９】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１４０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１４１】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１４３】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１４４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１４５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１４６】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３（２０３）は、送信部１０３ａ（２０３ａ）と受信部１０３ｂ（２０３ｂ）とで、物理的に又は論理的に分離された実装がなされてもよい。
【０１４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４９】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１５０】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１５１】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１５２】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１５３】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１５４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１５５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１５６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１６０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１６１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１６２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１６３】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１６４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１６６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１６７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１６８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１６９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７０】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１７１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１７２】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１７３】
また、情報、信号などは、上位レイヤから下位レイヤ及び下位レイヤから上位レイヤの少なくとも一方へ出力され得る。情報、信号などは、複数のネットワークノードを介して入出力されてもよい。
【０１７４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１７５】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１７６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０１７７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１７８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１８１】
本開示において使用する「システム」及び「ネットワーク」という用語は、互換的に使用され得る。
【０１８２】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０１８３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１８４】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１８５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１８６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１８７】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１８８】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０１８９】
同様に、本開示におけるユーザ端末は、基地局で読み替えてもよい。この場合、上述のユーザ端末２０が有する機能を基地局１０が有する構成としてもよい。
【０１９０】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１９２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０１９３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１９４】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０１９５】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０１９６】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０１９７】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１９８】
また、「判断（決定）」は、「想定する（assuming）」、「期待する（expecting）」、「みなす（considering）」などで読み替えられてもよい。
【０１９９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２００】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２０１】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２０２】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２０３】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２０４】
本開示において、例えば、英語でのa、an及びtheのように、翻訳によって冠詞が追加された場合、本開示は、これらの冠詞の後に続く名詞が複数形であることを含んでもよい。
【０２０５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020053943.tif 000003
【図２】
2020053943.tif 000004
【図３】
2020053943.tif 000005
【図４】
2020053943.tif 000006
【図５】
2020053943.tif 000007
【図６】
2020053943.tif 000008
【図７】
2020053943.tif 000009
【図８】
2020053943.tif 000010
【図９】
2020053943.tif 000011
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
第１セルにおいて、第２セルの共有チャネルのスケジューリングのための第１下り制御情報をモニタする受信部と、
前記第２セルの前記共有チャネルが前記第１セルを用いてスケジュールされることを設定された場合、前記第２セルにおいて前記第２セルのスロットフォーマット、プリエンプション及び送信電力のうち少なくとも１つの制御に用いられる第２下り制御情報をモニタしないように制御する制御部と、を有することを特徴とする端末。
【請求項２】
前記受信部は、前記第２セルの前記共有チャネルが前記第１セルを用いてスケジュールされることを示す上位レイヤパラメータを受信することを特徴とする請求項１に記載の端末。
【請求項３】
前記第２下り制御情報は、タイプ３−Ｐｈｙｓｉｃａｌ  Ｄｏｗｎｌｉｎｋ  Ｃｏｎｔｒｏｌ  Ｃｈａｎｎｅｌ（ＰＤＣＣＨ）  Ｃｏｍｍｏｎ  Ｓｅａｒｃｈ  Ｓｐａｃｅ（ＣＳＳ）でモニタされることを特徴とする請求項１又は２に記載の端末。
【請求項４】
前記第２下り制御情報は、ＤＣＩフォーマット２＿０、ＤＣＩフォーマット２＿１、ＤＣＩフォーマット２＿２及びＤＣＩフォーマット２＿３のうち少なくとも１つであることを特徴とする請求項１から３のいずれかに記載の端末。
【請求項５】
第１セルにおいて、第２セルの共有チャネルのスケジューリングのための第１下り制御情報をモニタする工程と、
前記第２セルの前記共有チャネルが前記第１セルを用いてスケジュールされることを設定された場合、前記第２セルにおいて前記第２セルのスロットフォーマット、プリエンプション及び送信電力のうち少なくとも１つの制御に用いられる第２下り制御情報をモニタしないように制御する工程と、を有することを特徴とする端末の無線通信方法。
【請求項６】
端末と基地局を有するシステムであって、
前記端末は、
第１セルにおいて、第２セルの共有チャネルのスケジューリングのための第１下り制御情報をモニタする受信部と、
前記第２セルの前記共有チャネルが前記第１セルを用いてスケジュールされることを設定された場合、前記第２セルにおいて前記第２セルのスロットフォーマット、プリエンプション及び送信電力のうち少なくとも１つの制御に用いられる第２下り制御情報をモニタしないように制御する制御部と、を有し、
前記基地局は、
前記第１下り制御情報及び前記第２下り制御情報のうち少なくとも１つを送信する送信部を有することを特徴とするシステム。
【手続補正３】
【補正対象書類名】明細書
【補正対象項目名】０００１
【補正方法】変更
【補正の内容】
【０００１】
本開示は、次世代移動通信システムにおける端末、無線通信方法及びシステムに関する。
【手続補正４】
【補正対象書類名】明細書
【補正対象項目名】０００８
【補正方法】変更
【補正の内容】
【０００８】
本発明はかかる点に鑑みてなされたものであり、特定のフォーマットを有する下り制御情報のモニタリングを適切に行う端末、無線通信方法及びシステムを提供することを目的の一つとする。
【手続補正５】
【補正対象書類名】明細書
【補正対象項目名】０００９
【補正方法】変更
【補正の内容】
【０００９】
本開示の一態様に係る端末は、第１セルにおいて、第２セルの共有チャネルのスケジューリングのための第１下り制御情報をモニタする受信部と、前記第２セルの前記共有チャネルが前記第１セルを用いてスケジュールされることを設定された場合、前記第２セルにおいて前記第２セルのスロットフォーマット、プリエンプション及び送信電力のうち少なくとも１つの制御に用いられる第２下り制御情報をモニタしないように制御する制御部と、を有する。
【国際調査報告】
2020053943.tif 000012
2020053943.tif 000013
2020053943.tif 000014